(57)【要約】【課題】売却者にとっては無駄なコンテンツ伝送が不要かつ著作権管理が容易であり、購入者にとってはコンテンツの選択が容易であり、仲介者にとっては売買債務負担を負うことがないコンテンツ売買システムを提供する【解決手段】売却用のコンテンツを管理する複数の売却者システム（１１，１２，１３，１４）と、コンテンツの購入者が購入済みのコンテンツを管理する購入者システム（２１，２２，２３，２４）と、各売却者システムに蓄積されているコンテンツに固有の情報を集中管理し、前記売却者システムと購入者システムとの間でコンテンツの売買を仲介する管理サーバ３１とを含む。各売却者システムは分散配置され、売買の成立したコンテンツが、これを管理する売却者システムから購入者システムへネットワークを介して伝送される。【選択図】　　　　図１
2004145523.tif 000002
【特許請求の範囲】
【請求項１】
コンテンツの売却者が売却用のコンテンツを管理する複数の売却者システムと、コンテンツの購入者が購入済みのコンテンツを管理する購入者システムと、各売却者システムに蓄積されているコンテンツに固有のコンテンツ識別情報を集中管理し、前記売却者システムと購入者システムとの間でコンテンツの売買を仲介する管理サーバとを含み、
前記複数の売却者システムが分散配置され、売買の成立したコンテンツが、これを管理する売却者システムから購入者システムへネットワークを介して伝送されることを特徴とするコンテンツ売買システム。
【請求項２】
前記各売却者システムが、
コンテンツを蓄積する手段と、
各コンテンツのコンテンツ識別情報を管理サーバへ提供する手段とを含むことを特徴とする請求項１に記載のコンテンツ売買システム。
【請求項３】
前記購入者システムが、
コンテンツの選択条件を入力する手段と、
前記管理サーバから提供されるコンテンツ識別情報を再生する手段と、
ネットワークを介して伝送されるコンテンツを蓄積する手段とを含むことを特徴とする請求項１に記載のコンテンツ売買システム。
【請求項４】
前記管理サーバが、
各売却者システムから提供されるコンテンツ識別情報を記憶する手段と、
前記購入者システムから提示された選択条件をパラメータとして前記記憶手段からコンテンツを検索し、そのコンテンツ識別情報を購入者システムへ提供する手段とを含むことを特徴とする請求項１に記載のコンテンツ売買システム。
【請求項５】
コンテンツの売却者が売却用のコンテンツを管理する複数の売却者システムと、コンテンツの購入者が購入済みのコンテンツを管理する購入者システムと、前記売却者と購入者との間でコンテンツの売買を仲介する管理サーバとを含み、
前記複数の売却者システムが分散配置され、売買の成立したコンテンツが、これを管理する売却者システムから購入者システムへネットワークを介して伝送されるコンテンツ売買システムにおいて、
（１）前記各売却者システムは、
コンテンツを蓄積する手段と、
各コンテンツに固有のコンテンツ識別情報を管理サーバへ提供する手段とを含み、
（２）前記購入者システムは、
コンテンツの選択条件を入力する手段と、
前記管理サーバから提供されるコンテンツ識別情報を再生する手段と、
コンテンツを指定して購入を要求する手段と、
ネットワークを介して伝送されるコンテンツを蓄積する手段とを含み、
（３）前記管理サーバは、
各売却者システムから提供されるコンテンツ識別情報を記憶する手段と、
前記購入者システムから提示された選択条件をパラメータとして前記記憶手段からコンテンツを検索し、そのコンテンツ識別情報を購入者システムへ提供する手段とを含むことを特徴とするコンテンツ売買システム。
【請求項６】
前記コンテンツ識別情報が、コンテンツのメタデータ、要約データ、著作権条件および価格の少なくとも一つであることを特徴とする請求項２ないし４のいずれかに記載のコンテンツ売買システム。
【請求項７】
前記要約データがコンテンツの静止画サムネイルであることを特徴とする請求項６に記載のコンテンツ売買システム。
【請求項８】
前記要約データがコンテンツの動画音声サムネイルであることを特徴とする請求項６に記載のコンテンツ売買システム。
【請求項９】
前記購入者システムは、クレジット情報を受け付けて管理サーバへ通知する手段を具備し、
前記管理サーバは、通知されたクレジット情報に基づいてコンテンツの購入代金を課金する手段を含むことを特徴とする請求項１ないし６のいずれかに記載のコンテンツ売買システム。
【請求項１０】
前記クレジット情報がクレジットカード番号およびその付帯情報であり、
前記管理サーバは、購入者から通知されたクレジットカード番号およびその付帯情報をクレジットカード会社へ通知することを特徴とする請求項９に記載のコンテンツ売買システム。
【請求項１１】
前記売却者システムが、購入者システムへ伝送するコンテンツに所定の情報を電子透かしとして刷り込む手段を含むことを特徴とする請求項１ないし１０のいずれかに記載のコンテンツ売買システム。
【請求項１２】
前記売却者システムが、各コンテンツのメタデータを手動入力する手段をさらに含むことを特徴とする請求項１ないし１１のいずれかに記載のコンテンツ売買システム。
【請求項１３】
前記売却者システムおよび購入者システムをグループ分けする手段を含み、同一グループに所属するシステムには同一の識別子が付与され、前記購入者システムは、同一グループに所属する売却者システムのコンテンツ情報に対してのみアクセスが許容されることを特徴とする請求項１ないし１２のいずれかに記載のコンテンツ売買システム。
【請求項１４】
複数の管理サーバを含み、各管理サーバには前記識別子のいずれかが登録され、前記登録されている識別子が付与されたグループ内でのコンテンツ売買のみを管理することを特徴とする請求項１３に記載のコンテンツ売買システム。
【発明の詳細な説明】
【０００１】
【発明の属する技術分野】
本発明は、高品位の映像や画像などのコンテンツをネットワーク上で売買するコンテンツ売買システムに関する。
【０００２】
【従来の技術】
従来、高品位の映像コンテンツの売買は、ビデオテープやビデオフィルム等の記録媒体を直接やり取りすることにより行われていた。これに対して、特開２００２−４１８１８号公報、特開２００２−３２６７０号公報には、サービス利用者が、多数のコンテンツが記憶されているサーバからネットワークを通じて、音楽・映像・プログラムなどの情報をダウンロードし、このコンテンツに対する支払を行う情報配信サービスシステムが開示されている。
【０００３】
【発明が解決しようとする課題】
上記した従来技術には、以下のような技術課題があった。
１．売買対象となるコンテンツとその管理データとを１つのデータベースで管理していたため、蓄積保管するコンテンツの数が多くなると、容量的に対応しきれなくなる。また、売却者は売買の成立以前にコンテンツをサーバへ予め送付しておかなければならないので、売却されなかったコンテンツに関しては、その通信コストが無駄になってしまう。
２．　映像のコンテンツに関しては、その内容を説明する有効な手段がないために、購入希望者側で所望の映像コンテンツを選択することが容易でない。
３．　コンテンツの売買に際しては、交渉条件として価格のみならず著作権に関する条件も重要で有るが、その対応がとれない。
４．売買を仲介する売買環境の提供者が売買債務負担を負うことなく、容易に売買環境を提供することが困難である。
５．コンテンツの内容が幅広いものであるので、この売買を１つのシステムで扱うと、所望の映像コンテンツを抽出することが容易でない。
【０００４】
本発明の目的は、上記した従来技術の課題を解決し、売却者にとっては無駄なコンテンツ伝送が不要かつ著作権管理が容易であり、購入者にとってはコンテンツの選択が容易であり、仲介者にとっては売買債務負担を負うことがないコンテンツ売買システムを提供することにある。
【０００５】
【課題を解決するための手段】
上記した目的を達成するために、本発明は、以下のような手段を講じた点に特徴がある。
【０００６】
（１）コンテンツの売却者が売却用のコンテンツを管理する複数の売却者システムと、コンテンツの購入者が購入済みのコンテンツを管理する購入者システムと、各売却者システムに蓄積されているコンテンツの要約情報を集中管理し、前記売却者システムと購入者システムとの間でコンテンツの売買を仲介する管理サーバとを含み、前記複数の売却者システムが分散配置され、売買の成立したコンテンツが、これを管理する売却者システムから購入者システムへネットワークを介して伝送されることを特徴とする。
【０００７】
（２）各売却者システムが、コンテンツを蓄積する手段と、各コンテンツに固有のコンテンツ識別情報を管理サーバへ提供する手段とを含むことを特徴とする。
【０００８】
（３）購入者システムが、コンテンツの選択条件を入力する手段と、管理サーバから提供されるコンテンツ識別情報を再生する手段と、ネットワークを介して伝送されるコンテンツを蓄積する手段とを含むことを特徴とする。
【０００９】
（４）管理サーバが、各売却者システムから提供されるコンテンツ識別情報を記憶する手段と、購入者システムから提示された選択条件をパラメータとして記憶手段からコンテンツを検索し、そのコンテンツ識別情報を購入者システムへ提供する手段とを含むことを特徴とする。
【００１０】
上記した特徴（１）、（４）によれば、分散配置された複数の売却者システムが管理サーバにより集中管理されるので、購入者システムでは全ての売却者システムへアクセスすることなく、管理サーバへアクセスするだけで各売却者システムに蓄積されているコンテンツの情報を取得できる。また、売却者システムは売買の成立したコンテンツのみが伝送されるので、無駄な通信コストが発生しない。
【００１１】
上記した構成（２）、（３）によれば、分散配置された複数の売却者システムに蓄積されている各コンテンツに固有の情報が管理サーバにより集中管理され、購入者システムでは、管理サーバへアクセスするだけで各コンテンツ識別情報を参照できるので、コンテンツの選択が容易になる。
【００１２】
【発明の実施の形態】
以下、図面を参照して本発明の好ましい実施の形態について詳細に説明する。図１は、本発明の一実施形態であるコンテンツ売買システムの構成を示したブロック図であり、ここでいう「コンテンツ」は、ニュース、映画、音楽アルバムなどの動画像データ、静止画像データ、音声データ、テキストデータ、コンピュータプログラムなどのマルチメディア情報の総称である。以下では、主に動画像データを中心に説明するが、本発明をこれに限定する趣旨ではない。
【００１３】
コンテンツを売却する売却者側のシステムは、売却対象のコンテンツが多数格納された売却者コンテンツサーバ１１と、ビデオテープやビデオディスクあるいは映像フィルム等の記憶媒体１３に多様なデータフォーマットで記憶されているコンテンツを所定のデータフォーマットに変換して売却者コンテンツサーバ１１に入力するデータ変換部１２と、購入者との間で主に売買交渉データを交換する売却者端末１４とを含む。
【００１４】
コンテンツを購入する購入者側のシステムは、購入したコンテンツを蓄積する購入者コンテンツサーバ２１と、所定のデータフォーマットで記憶されているコンテンツを、メディア媒体２３に応じたデータフォーマットに変換するデータ変換部２２と、前記売却者との間で売買交渉データを交換する購入者端末２４とを含む。
【００１５】
管理サーバ３１は、コンテンツの売却希望者と購入希望者とを仲介し、両者の間で売買契約が成立すると、売却者コンテンツサーバ１１から購入者コンテンツサーバ２１へのコンテンツの転送を管理する。前記売却者コンテンツサーバ１１、売却者端末１４、購入者コンテンツサーバ２１および購入者端末２４は、管理サーバ３１と共にインターネットを介して相互に接続されている。
【００１６】
なお、図１では売却者システムおよび購入者システムが一つずつしか示されていないが、それぞれ多数のシステムがインターネットを介して管理サーバと接続されている。
【００１７】
図２は、前記売却者コンテンツサーバ１１の機能ブロック図であり、前記データ変換部１２から取り込まれたコンテンツを蓄積するコンテンツ蓄積部１１０と、前記各コンテンツに固有の識別情報の一つであるメタデータとして、コンテンツＩＤ，売却者ＩＤ，ビデオビットレート，オーディオビットレート，映像コンテンツファイルサイズ，メディア時間，映像規格等を自動生成し、これを管理サーバ３１へ提供するメタデータ生成部１１１と、前記各コンテンツに固有の識別情報の他の一つである要約データとして、その静止画サムネイルファイル（映像中の一定期間毎，映像中のシーンチェンジ毎等）や動画音声サムネイルファイル（映像中の一定期間毎，映像中のシーンチェンジ毎等）を自動生成し、これを管理サーバ３１へ提供する要約データ生成部１１２と、売却するコンテンツに売買条件や著作権に関する条件等を電子すかしとして刷り込む電子すかし挿入部１１３とを含む。
【００１８】
図３は、前記売却者端末１４の機能ブロック図であり、売却者のコメントや音声の言語種別といった、自動生成の難しいメタデータをオペレータの指示で入力するメタデータ入力部１４０と、各コンテンツの著作権に関する条件として、コンテンツのコピーの可否，コピー可の場合にはコピー回数等をオペレータの指示で入力する著作権情報入力部１４１と、コンテンツの価格に関する情報をオペレータの指示で入力する価格情報入力部１４２とを含む。
【００１９】
図４は、前記購入者コンテンツサーバ２１の機能ブロック図であり、売買契約の成立後に売却者コンテンツサーバ１１から転送されるコンテンツを蓄積するコンテンツ蓄積部２１０を含む。
【００２０】
図５は、前記購入者端末２４の機能ブロック図であり、購入を希望するコンテンツの条件を入力するコンテンツ選択条件入力部２４０と、購入を希望するコンテンツの条件として、その音声情報中に含まれるキーワードを入力するキーワード入力部２４１と、管理サーバから提供されるコンテンツの静止画サムネイルファイルや動画音声サムネイルファイルなどの要約データを再生する要約データ再生部２４２と、購入したコンテンツの支払いを管理する支払管理部２４３とを含む。
【００２１】
図６は、前記管理サーバ３１の機能ブロック図であり、各売却者システムの売却者コンテンツサーバ１１（メタデータ生成部１１１）から提供されるメタデータを集中管理するメタデータ管理部３１０と、各売却者システムの売却者コンテンツサーバ１１（要約データ生成部１１２）から提供される要約データを集中管理する要約データ管理部３１１と、各売却者システムの売却者端末１４から提供される著作権情報を管理する著作権管理部３１２と、各売却者システムの売却者端末１４から提供される価格情報を管理する価格管理部３１３と、前記購入者端末２４からの要求に応答して、条件に合致したコンテンツのメタデータ、要約データ、著作権情報および価格を前記各管理部３１０，３１１，３１２，３１３から検索するコンテンツ検索部３１４と、売却されるコンテンツの代金を購入者から徴収する課金管理部３１５とを含む。
【００２２】
図７は、前記売却者システムにおけるコンテンツ登録手順を示した図である。ステップＳ１１では、前記各種の記録媒体１３に様々なデータフォーマットで記憶されているコンテンツが、データ変換部１２で所定の共通フォーマットに変換されたのち、売却者コンテンツサーバ１１に取り込まれる。売却者コンテンツサーバ１１では、前記コンテンツがコンテンツ蓄積部１１０に蓄積される。
【００２３】
ステップＳ１２では、売却者コンテンツサーバ１１のメタデータ生成部１１１により、前記入力されたコンテンツのメタデータが、当該コンテンツに基づいて自動的に生成される。このメタデータは管理サーバ３１に転送され、ステップＳ１４において、メタデータ管理部３１０に蓄積される。
【００２４】
ステップＳ１５では、売却者コンテンツサーバ１１の要約データ生成部１１２により、前記入力されたコンテンツの静止画サムネイルが、当該コンテンツに基づいて、要約データの一つとして自動的に生成される。この静止画サムネイルは管理サーバ３１へ転送され、ステップＳ１６において、前記要約データ管理部３１１に蓄積される。
【００２５】
ステップＳ１７では、売却者コンテンツサーバ１１の要約データ生成部１１２により、前記入力されたコンテンツの動画音声サムネイルが、当該コンテンツに基づいて要約データの一つとして自動的に生成される。この動画音声サムネイルも管理サーバ３１へ転送され、ステップＳ１８において、前記要約データ管理部３１１に蓄積される。
【００２６】
ステップＳ１９では、売却者のコメントや音声の言語種別などの、自動生成が難しいメタデータが売却者端末１４のメタデータ入力部１４０からオペレータによって手動入力される。
【００２７】
図１０は、前記メタデータ入力時における売却者端末１４の入力画面（Ｌａｎｇｕａｇｅ　＆　Ｃｏｍｍｅｎｔ）の一例を示した図であり、言語種別が英語である旨の「Ｅｎｇｌｉｓｈ」が入力され、コメントとして海を題材にした映像である旨の「Ｓｅａ」が入力されている。ここで、オペレータにより「Ｓｕｂｍｉｔ」ボタンがクリックされると、このメタデータが管理サーバ３１へ転送され、ステップＳ２０において、前記メタデータ管理部３１０に蓄積される。なお、「Ｒｅｓｅｔ」ボタンがクリックされると入力内容がリセットされ、「Ｂａｃｋ」ボタンがクリックされると前の画面に戻る。
【００２８】
ステップＳ２１では、売却者端末１４の著作権情報入力部１４１から著作権に関する条件が入力され、さらに価格情報入力部１４２からは価格に関する条件が入力される。
【００２９】
図１１は、前記著作権および価格を入力する際の売却者端末１４の入力画面（Ｒｉｇｈｔ　＆　Ｐｒｉｃｅ）の一例を示した図であり、著作権としてコピー禁止（「Ｎｏ．　ｏｆ　ｃｏｐｙ」がゼロ）が指定され、価格として「１０万円」が指定されている。ここでも、オペレータにより「Ｓｕｂｍｉｔ」ボタンがクリックされると、各条件が管理サーバ３１に通知され、ステップＳ２２において、それぞれ著作権管理部３１２および価格管理部３１３に登録される。
【００３０】
図８は、前記購入者システムにおけるコンテンツの選択手順を示した図である。コンテンツの購入希望者は初めに、Ｗｅｂブラウザを搭載した購入者端末２４上で前記Ｗｅｂブラウザを起動して管理サーバ３１へアクセスする。ステップＳ３１では、希望するコンテンツを選択するための条件として、メタデータや著作権等に関する条件が、前記コンテンツ選択条件入力部２４０から入力される。ステップＳ３２では、所望のコンテンツを絞り込むためのキーワードがキーワード入力部２４１から入力される。前記入力された選択条件および／またはキーワードは管理サーバ３１へ転送される。
【００３１】
管理サーバ３１では、前記コンテンツの選択条件を受信すると、ステップＳ３３において、前記コンテンツ検索部３１４が、この選択条件をパラメータとして前記メタデータ管理部３１０、著作権管理部３１２および価格管理部３１３を検索し、前記選択条件に合致したコンテンツを抽出する。ステップＳ３４では、要約データ管理部３１１に蓄積されているコンテンツの動画音声サムネイルから、前記キーワードを音声信号として含むコンテンツが抽出される。抽出されたコンテンツのメタデータ、著作権条件および価格条件等は購入者端末２４へ通知される。
【００３２】
図１２は、前記通知内容の購入者端末２４における表示例を示した図であり、抽出されたコンテンツの一覧が、その名称、タイトル、コメント、蓄積箇所、価格等と共に一覧表示される。
【００３３】
購入者端末２４のオペレータは前記通知内容を参照し、そのコンテンツの内容をより詳細に確認したければ、ステップＳ３５において、所望のコンテンツを特定して静止画プレビューを要求する。前記静止画プレビューは、そのコンテンツ行の「Ｄｅｔａｉｌ」ボタンをクリックすることにより要求できる。管理サーバ３１は、前記静止画プレビューの要求を検知すると、前記要約データ管理部３１１から、前記要求されたコンテンツの静止画サムネイルを抽出して購入者端末２４へ送信する。
【００３４】
さらに、ステップＳ３６において、オペレータがコンテンツを指定して動画音声プレビューを要求すると、管理サーバ３１は、前記要約データ管理部３１１から前記指定されたコンテンツの動画音声サムネイルを抽出して購入者端末２４へ送信する。購入者端末２４では、前記通知された静止画サムネイルおよび／または動画音声サムネイルが、前記要約データ再生部２４２により再生される。
【００３５】
図１３は、前記動画音声サムネイルの表示例を示した図であり、前記選択したコンテンツの動画音声サムネイルが、そのメタデータ、著作権情報および価格等と共に表示される。
【００３６】
図９は、前記購入者システムにおけるコンテンツの購入手順を示した図である。売却者から通知された著作権情報や価格条件に関して購入希望者が交渉を希望する場合、ステップＳ５１において、購入を希望するコンテンツを購入者端末のＷｅｂブラウザ上で指定して交渉条件を入力する。この交渉条件は管理サーバ３１を経由して売却者端末１４へ通知される。売却者端末１４では、前記交渉条件を参照し、購入者から提示された使用条件の緩和や価格の値下げ等に応じる用意があれば、新たな条件を作成して購入者端末２４へ通知する。
【００３７】
購入者システムでは、改めて通知された条件をオペレータが参照し、交渉条件が折り合えば、ステップＳ５２において、クレジット番号およびその付帯条件（購入者の住所、氏名、生年月日、支払い方法など）を管理サーバ３１へ通知する。管理サーバ３１では、課金管理部３１５が前記購入者から通知されたクレジット番号およびその付帯条件、ならびに購入価格をクレジット会社４１へ通知する（ステップＳ５３）。クレジット会社４１からの確認（ステップＳ５４）が得られると、管理サーバ３１から売却者コンテンツサーバへ契約条件が通知（ステップＳ５５）される。
【００３８】
売却者コンテンツサーバ１１では、ステップＳ５６において、売却するコンテンツに対して前記電子すかし挿入部１１３が、その著作権条件や売買契約条件等を電子透かしとして刷り込み、その後、ステップＳ５７において、電子透かしの刷り込みが完了した旨を管理サーバ３１へ通知する。管理サーバ３１は、前記通知を受け取ると、購入者コンテンツサーバ２１に対しては、ステップＳ５８で受信指示を通知し、売却者コンテンツサーバ１１に対しては、ステップＳ５９でコンテンツの転送を指示する。その後、前記購入されたコンテンツが売却者コンテンツサーバ２１のコンテンツ蓄積部２１０から読み出され、ステップＳ６０において、インターネットを経由して購入者システムへ伝送される。購入者システムでは、前記伝送されたコンテンツが購入者コンテンツサーバ２１のコンテンツ蓄積部２１０へ蓄積することで、一連のコンテンツ売買が完了する。
【００３９】
なお、同一の管理サーバ３１によって管理される売却者システムや購入者システムの数が増えたり、あるいは各売却者システムのコンテンツサーバに蓄積されるコンテンツが増えると、検索に長時間を要するようになったり、あるいは検索条件には合致するもののジャンルの全く異なるコンテンツがヒットするなど、使い勝手の悪化が懸念される。
【００４０】
このような問題点を解決するためには、図１４に示したように、各売却者システム（コンテンツサーバおよび売却者端末）および購入者システム（コンテンツサーバおよび購入者端末）に、それぞれの帰属グループを代表する識別子（ＩＤ）を予め付与しておき、同一の識別子ＩＤが付与されたグループ内でのみアクセスが許容され、購入者システムは、同一グループに所属する売却者システムのコンテンツ情報に対してのみアクセスできるようにすれば良い。
【００４１】
図１４に示した例では、売却者システム▲１▼、▲２▼、▲３▼および購入者システム▲１▼に識別子ＩＤ１が予め付与され、管理サーバ３１に蓄積された各売却者システム▲１▼、▲２▼、▲３▼のコンテンツ情報にも前記識別子ＩＤ１が付与されている。したがって、購入者システム▲１▼は売却者システム▲１▼、▲２▼、▲３▼のコンテンツのみを参照でき、かつ購入することができる。
【００４２】
同様に、売却者システム▲２▼、▲３▼および購入者システム▲２▼、▲３▼には識別子ＩＤ２が予め付与され、管理サーバ３１に蓄積された各売却者システム▲２▼、▲３▼のコンテンツに関する情報にも前記識別子ＩＤ２が付与されている。なお、図１４の例では、売却者システム▲２▼、▲３▼には２つの識別子ＩＤ１，ＩＤ２が付与されることになる。購入者システム▲２▼、▲３▼は売却者システム▲２▼、▲３▼のコンテンツのみを参照でき、かつ購入することができる。
【００４３】
そして、各売却者システムおよび購入者システムに割り当てる識別子ＩＤを、各システムが取り扱うコンテンツの内容（ジャンル）に基づいて決定し、例えばニュースに関するコンテンツを取り扱う売却者システム、およびニュースに関するコンテンツの購入を希望する購入者システムには同一の識別子ＩＤを付与すれば、検索範囲がコンテンツのジャンルに基づいて限定されるので検索時間が短縮され、検索結果の正確性も向上する。
【００４４】
さらに、売却者システムや購入者システムの数が更に増えて、複数台の管理サーバで処理を分担する必要がある場合には、図１５に示したように、各管理サーバにも識別子ＩＤを付与することにより、各管理サーバの取り扱いグループを制限するようにしても良い。
【００４５】
【発明の効果】
本発明によれば、以下のような効果が達成される。
（１）分散配置された複数の売却者システムが管理サーバにより集中管理されるので、購入者システムでは全ての売却者システムへアクセスすることなく、管理サーバへアクセスするだけで各売却者システムに蓄積されているコンテンツの情報を取得できる。
（２）売却者システムは売買の成立したコンテンツのみを伝送するので、無益なトラヒックの増大を防止できる。
（３）分散配置された複数の売却者システムに蓄積されているコンテンツの要約情報が管理サーバにより集中管理され、購入者システムでは、管理サーバへアクセスするだけで各コンテンツの要約情報を参照できるので、コンテンツの選択が容易になる。
（４）各コンテンツの著作権に関する条件が購入者システムへ通知され、この条件を前提にしてコンテンツが売買されるので、著作権の管理が容易かつ確実になる。
【図面の簡単な説明】
【図１】本発明の一実施形態であるコンテンツ売買システムの構成を示したブロック図である。
【図２】売却者コンテンツサーバ１１の機能ブロック図である。
【図３】売却者端末１４の機能ブロック図である。
【図４】購入者コンテンツサーバ２１の機能ブロック図である。
【図５】購入者端末２４の機能ブロック図である。
【図６】管理サーバ３１の機能ブロック図である。
【図７】売却者システムにおけるコンテンツ登録手順を示した図である。
【図８】購入者システムにおけるコンテンツ選択手順を示した図である。
【図９】購入者システムにおけるコンテンツ購入手順を示した図である。
【図１０】メタデータ入力画面の一例を示した図である。
【図１１】著作権および価格の入力画面の一例を示した図である。
【図１２】コンテンツの検索結果の表示例を示した図である。
【図１３】動画音声サムネイルの表示例を示した図である。
【図１４】ＩＤによるグループ分けの一例を示した図である。
【図１５】ＩＤによるグループ分けの他の一例を示した図である。
【符号の説明】１１…売却者コンテンツサーバ，１２…データ変換部，１３…記憶媒体，１４…売却者端末，２１…購入者コンテンツサーバ，２２…データ変換部，２３…メディア媒体，２４…購入者端末，３１…管理サーバ
【図１】
2004145523.tif 000003
【図２】
2004145523.tif 000004
【図３】
2004145523.tif 000005
【図４】
2004145523.tif 000006
【図５】
2004145523.tif 000007
【図６】
2004145523.tif 000008
【図７】
2004145523.tif 000009
【図８】
2004145523.tif 000010
【図９】
2004145523.tif 000011
【図１０】
2004145523.tif 000012
【図１１】
2004145523.tif 000013
【図１２】
2004145523.tif 000014
【図１３】
2004145523.tif 000015
【図１４】
2004145523.tif 000016
【図１５】
2004145523.tif 000017